(57)【要約】  意思決定方法とシステム及びポリシー決定ユニットが開示される。意思決定方法は、アクセスネットワーク情報とアクセスユーザ情報とを含むアプリケーションセッション情報を受信するステップを含む。次いで、そのアプリケーションセッション情報に従ってポリシー及び課金決定を行うステップを含む。アプリケーションセッション情報に、ユーザ端末のアクセスネットワーク情報とアクセスユーザ情報とを加えることにより、上記の意思決定方法とシステム及びポリシー決定ユニットが、上記のアクセスネットワーク情報又はアクセスユーザ情報とネットワークによりＵＥに割り当てられたＩＰアドレスとに従って、ポリシー制御／課金ルール機能（ＰＣＲＦ）において唯一の対応ユーザ確定を可能ならしめる。その結果、ポリシー及び課金の意思決定が遂行可能となる。
2011509610.tif 000002
【特許請求の範囲】
【請求項１】
アクセスネットワーク情報とアクセスユーザ情報とを含むアプリケーションセッション情報を受信するステップと、
前記アプリケーションセッション情報に従ってポリシー及び課金の決定を行うステップと、
を含む意思決定方法。
【請求項２】
前記アプリケーションセッション情報に従ってポリシー及び課金の決定を行う前記ステップが、
ポリシー決定機能（ＰＤＦ）により、前記アプリケーションセッション情報に従ってユーザ端末（ＵＥ）識別子又はＩＰ接続用アクセスネットワーク（ＩＮＴＥＲＮＥＴ  ＰＲＯＴＯＣＯＬ  ＣＯＮＮＥＣＴＩＶＩＴＹ  ＡＣＣＥＳＳ  ＮＥＴＷＯＲＫ）（ＩＰ−ＣＡＮ）セッションを確定し、ポリシー及び課金ルールを生成するステップと、
前記ポリシー及び課金ルールをポリシー及び課金施行機能（ＰＣＥＦ）に配信し、ポリシー及び課金決定を施行するステップと、
を含むことを特徴とする、請求項１に記載の意思決定方法。
【請求項３】
アプリケーション機能（ＡＦ）により、前記アクセスネットワーク情報と前記アクセスユーザ情報とを含む前記アプリケーションセッション情報を前記ＵＥから受信するステップと、
前記ＡＦにより、前記アクセスネットワーク情報と前記アクセスユーザ情報とを前記ＰＤＦに送信するステップと、
をさらに含むことを特徴とする、請求項１又は２に記載の意思決定方法。
【請求項４】
ネットワークにより、前記アクセスネットワーク情報と前記アクセスユーザ情報とをＩＰ−ＣＡＮ設定過程において前記ＵＥへ送信するステップを更に含み、
前記アプリケーションネットワーク情報は、移動パケットネットワーク識別子とパケットデータネットワーク（ＰＤＮ）識別子との少なくとも１つを含み、かつ前記アクセスユーザ情報は、ＩＰアドレスとユーザ識別子との少なくとも１つを含むことを特徴とする、請求項３に記載の意思決定方法。
【請求項５】
アクセスゲートウェイが、ユーザ端末（ＵＥ）のユーザ識別子と、ＩＰアドレスと、移動パケットネットワーク識別子及びパケットデータネットワーク（ＰＤＮ）識別子の少なくとも１つの識別子とを含むＩＰ接続用アクセスネットワーク（ＩＮＴＥＲＮＥＴ  ＰＲＯＴＯＣＯＬ  ＣＯＮＮＥＣＴＩＶＩＴＹ  ＡＣＣＥＳＳ  ＮＥＴＷＯＲＫ）（ＩＰ−ＣＡＮ）セッション生成指示をポリシー決定機能（ＰＤＦ）へ送信するステップを更に含み、
前記ＰＤＦにより、前記ＵＥのユーザ識別子と前記ＩＰアドレスと前記移動パケットネットワーク識別子との間のマッピング関係を記録するステップ、
前記ＰＤＦにより、前記ＵＥのユーザ識別子と前記ＩＰアドレスと前記ＰＤＮ識別子との間のマッピング関係を記録するステップ、
又は、前記ＰＤＦにより、前記ＵＥのユーザ識別子と前記ＩＰアドレスと前記移動パケットネットワーク識別子と前記ＰＤＮ識別子との間のマッピング関係を記録するステップ
を更に含むことを特徴とする、請求項１に記載の意思決定方法。
【請求項６】
前記アプリケーションセッション情報に従ってポリシー及び課金の決定を行う前記ステップは、
前記ＰＤＦにより、前記マッピング関係と前記ＵＥの前記ユーザ識別子とに従ってユーザの加入者データベースを検索するステップと、
前記ＰＤＦにより，ポリシー及び課金決定ルールを生成するステップと、
を含むことを特徴とする、請求項５に記載の意思決定方法。
【請求項７】
前記ＰＣＥＦは、前記ＩＰ−ＣＡＮセッションに対応するＰＣＥＦであることを特徴とする、請求項２に記載の意思決定方法。
【請求項８】
アクセスネットワーク情報とアクセスユーザ情報とを含むアプリケーションセッション情報を受信するように構成された受信モジュールと、
前記アプリケーションセッション情報に従ってポリシー及び課金の決定を行うように構成された意思決定モジュールと、
を備える、ポリシー決定機能（ＰＤＦ）。
【請求項９】
前記アクセスユーザ情報は、ユーザ端末（ＵＥ）のインターネットプロトコル（ＩＰ）アドレスを含み、
前記アクセスネットワーク情報は、移動パケットネットワーク識別子及びパケットデータネットワーク（ＰＤＮ）識別子の少なくとも１つの識別子を含む、
ことを特徴とする、請求項８に記載のＰＤＦ。
【請求項１０】
前記移動パケットネットワークの前記識別子は、前記ＵＥに前記ＩＰアドレスを割り当てる前記移動パケットネットワークの前記識別子を備えることを特徴とする、請求項９に記載のＰＤＦ。
【請求項１１】
前記ＰＤＮ識別子は、アクセスポイント名（ＡＰＮ）ネットワーク識別子と前記ＰＤＮ識別子とアクセスゲートウェイアドレスとの少なくとも１つ含むことを特徴とする、請求項９又は１０に記載のＰＤＦ。
【請求項１２】
前記アクセスユーザ情報は、前記ＵＥのユーザ識別子を含み、前記アクセスネットワーク情報は、移動パケットネットワークの識別子を含むことを特徴とする、請求項１１に記載のＰＤＦ。
【請求項１３】
前記移動パケットネットワークの前記識別子は、前記ＵＥのホームエリアにおける前記移動パケットネットワークの前記識別子であることを特徴とする、請求項１２に記載のＰＤＦ。
【請求項１４】
前記ＰＤＦは、ポリシー及び課金ルール機能（ＰＣＲＦ）とポリシー決定機能の１つであることを特徴とする、請求項８から１３のいずれか１項に記載のＰＤＦ。
【請求項１５】
前記意思決定モジュールは、
前記アプリケーションセッション情報に従って、ユーザ端末（ＵＥ）識別子の１つと、ＩＰ接続用アクセスネットワーク（ＩＮＴＥＲＮＥＴ  ＰＲＯＴＯＣＯＬ  ＣＯＮＮＥＣＴＩＶＩＴＹ  ＡＣＣＥＳＳ  ＮＥＴＷＯＲＫ）（ＩＰ−ＣＡＮ）セッションとを確定し、ポリシー及び課金ルールを生成するように構成されたポリシー及び課金ルール生成サブモジュールと、
前記ポリシー及び課金ルールをポリシー及び課金施行機能（ＰＣＥＦ）に配信し、ポリシー及び課金決定を施行するように構成された配信サブモジュールと、を含むことを特徴とする、請求項８に記載のＰＤＦ。
【請求項１６】
アクセスネットワーク情報とアクセスユーザ情報とを含むアプリケーションセッション情報を提供するように構成されたアプリケーション機能（ＡＦ）と、
前記アプリケーションセッション情報を受信し、前記アプリケーションセッション情報に従ってポリシー及び課金決定を行うように構成されたポリシー決定機能（ＰＤＦ）と、
を備える、意思決定システム。
【請求項１７】
アプリケーション機能（ＡＦ）を更に備え、前記ＡＦは、ユーザ端末（ＵＥ）と交信して、前記ＵＥの前記アクセスネットワーク情報と前記アクセスユーザ情報とを取得するように構成された取得モジュールを備えることを特徴とする、請求項１６に記載の意思決定システム。
【請求項１８】
前記アクセスネットワーク情報及び前記アクセスユーザ情報の内の１つを前記ＵＥへ提供するように構成された情報提供ユニットを更に備えることを特徴とする、請求項１６又は１７に記載の意思決定システム。
【請求項１９】
前記ＰＤＦは、
前記アプリケーションセッション情報に従って、ＵＥ識別子と、ＩＰ接続用アクセスネットワーク（ＩＮＴＥＲＮＥＴ  ＰＲＯＴＯＣＯＬ  ＣＯＮＮＥＣＴＩＶＩＴＹ  ＡＣＣＥＳＳ  ＮＥＴＷＯＲＫ）（ＩＰ−ＣＡＮ）セッションとの１つを確定し、ポリシー及び課金ルールを生成するように構成された、ポリシー及び課金ルール生成サブユニットと、
前記ポリシー及び課金ルールをポリシー及び課金施行機能（ＰＣＥＦ）に配信し、ポリシー及び課金決定を施行するように構成された配信サブユニットと、を備えることを特徴とする、請求項１８に記載の意思決定システム。
【発明の詳細な説明】
【技術分野】
【０００１】
本願は、２００８年３月３１日に中国特許庁へ出願された、「意思決定法、意思決定システム及びポリシー決定機能」という標題の中国特許出願第２００８１００９０２３６．３号の優先権を主張するものである。参照によりその内容全体がここに組み込まれる。
【０００２】
本発明は通信技術に関し、特に意思決定方法、意思決定システム及びポリシー決定機能（ＰＤＦ）に関する。
【背景技術】
【０００３】
移動ネットワークには２つの部分がある。回線交換（ＣＳ）ドメインとパケット交換（ＰＳ）ドメインとである。ＣＳドメインは従来のＣＳ音声サービスを行い、ＰＳドメインはＰＳサービスを提供する。パケットネットワークでマルチメディアサービスを提供するために、通信ネットワークはＩＰマルチメディアサブシステム（ＩＭＳ）を更に含む。ＩＭＳネットワークはパケットネットワークを介してマルチメディアサービスを提供し、ＣＳドメインに代わって音声サービスを提供することができる。
【０００４】
移動パケットネットワークにポリシー及び課金制御を実装するために、第３世代パートナーシッププロジェクト（３ＧＰＰ）が、ポリシー及び課金制御（ＰＣＣ）アーキテクチャを導入している。ＰＣＣアーキテクチャにおいては、ポリシー及び課金制御機能（ＰＣＲＦ）が、ＩＭＳネットワークの、プロキシ呼セッション制御機能（Ｐ−ＣＳＣＦ）等のアプリケーション機能（ＡＦ）から要求を受信し、対応するサービス品質（ＱｏＳ）ルールを生成するように、ポリシー及び課金ルールを生成し、３ＧＰＰの発展型パケットシステム（ＥＰＳ）ネットワークアーキテクチャ等のポリシー及び課金施行機能（ＰＣＥＦ）におけるパケットデータネットワーク（ＰＤＮ）ゲートウェイ（ＰＧＷ）へＱｏＳルールを配信する。
【０００５】
上記のアーキテクチャでは、ＡＦによりＰＣＲＦへ配信されるポリシー要求において、ユーザ識別子、又は１つのユーザ端末（ＵＥ）のＩＰアドレスによってユーザを識別可能である。
【発明の概要】
【発明が解決しようとする課題】
【０００６】
しかし、既存のＩＭＳネットワークアーキテクチャにおいては、移動パケットネットワークへのアクセスにＵＥが使用するユーザ識別子を、ＩＭＳネットワークは認識しない。
【０００７】
実際に、移動パケットネットワークがユーザに割り当てるＩＰアドレスはグローバルユニークではない。例えば、移動パケットネットワークがＵＥに割り当てるプライベートネットワークＩＰアドレスは、移動パケットネットワークの別のデータネットワーク上で重複している可能性がある。更に、ＡＦとＵＥとが別々の移動パケットネットワーク上にあって、ＵＥの訪問先エリアの移動パケットネットワークによりＵＥのアドレスが割り当てられる場合、そのＵＥのＩＰアドレスは、ホーム移動パケットネットワーク、又は他の訪問先移動パケットネットワークにより割り当てられるＩＰアドレスと重複する可能性がある。
【０００８】
本発明の実施形態を展開する中で、発明者は、上記の場合にはＩＰアドレスがユーザを一意的に識別しないことを見つけ出した。この場合には、ＡＦがポリシー要求を配信しても、ＰＣＲＦは、ポリシー要求中のＩＰアドレスではユーザを確定できなく、従ってポリシー及び課金決定をすることができない。
【課題を解決するための手段】
【０００９】
本発明の実施形態は、意思決定方法、意思決定システム及びＰＤＦを提供する。ＰＤＦは、ＡＦのアプリケーションセッション情報に従ってユーザを確定でき、ポリシー及び課金決定をすることができる。
【００１０】
本発明の実施形態で提供される意思決定方法が、アクセスネットワーク情報とアクセスユーザ情報とを含むアプリケーションセッション情報を受信するステップと、そのアプリケーションセッション情報に従ってポリシー及び課金の決定を行うステップと、を含む。
【００１１】
上記の意思決定方法では、アプリケーションセッション情報が、アクセスネットワーク情報とアクセスユーザ情報とを含み、従って、ＰＤＦは、アクセスネットワーク情報とアクセスユーザ情報とに従ってユーザを一意的に確定し、ポリシー及び課金の決定を行うことができる。
【００１２】
本発明の実施形態におけるＰＤＦが、アクセスネットワーク情報とアクセスユーザ情報とを含むアプリケーションセッション情報を受信するように構成された受信モジュールと、そのアプリケーションセッション情報に従ってポリシー及び課金の決定を行うように構成された意思決定モジュールと、を備える。
【００１３】
アプリケーションセッション情報に含まれるアクセスネットワーク情報とアクセスユーザ情報とに従って、ＰＤＦはユーザを一意的に確定し、ポリシー及び課金決定をすることができる。
【００１４】
本発明の実施形態で与えられる意思決定方法が、アクセスネットワーク情報とアクセスユーザ情報とを含むアプリケーションセッション情報を提供するように構成されたＡＦと、アプリケーションセッション情報を受信し、そのアプリケーションセッション情報に従ってポリシー及び課金決定を行うように構成されたＰＤＦと、を備える。
【００１５】
上記の意思決定システムでは、アプリケーションセッション情報が、アクセスネットワーク情報とアクセスユーザ情報とを含み、従って、ＰＤＦは、アクセスネットワーク情報とアクセスユーザ情報とに従ってユーザを一意的に確定し、ポリシー及び課金の決定を行うことができる。
【００１６】
本発明のもとでの技術的解決策を、添付の図面と好適な実施形態を参照して以下に詳述する。
【図面の簡単な説明】
【００１７】
【図１】本発明の第１の実施形態による、意思決定方法のフローチャートである。
【図２】本発明の第２の実施形態による、意思決定方法の信号伝達のフローチャートである。
【図３】本発明の第３の実施形態による、意思決定方法の信号伝達のフローチャートである。
【図４】本発明の第４の実施形態による、意思決定方法の信号伝達のフローチャートである。
【図５】本発明の第５の実施形態による、意思決定方法の信号伝達のフローチャートである。
【図６】本発明の実施形態によるＰＤＦ構造を示す図である。
【図７】本発明の実施形態によるＰＤＦによる、意思決定モジュールの構造を示す図である。
【図８】本発明の実施形態による意思決定システムの構造を示す図である。
【図９】本発明の実施形態による意思決定システムのＰＤＦ構造を示す図である。
【発明を実施するための形態】
【００１８】
以下の詳細な説明は、添付の図面を参照した本発明の実施形態の技術的解決策を対象としている。説明する実施形態は、本発明の実施形態のすべてというよりは、その一部である。更に、本明細書に示す実施形態から当業者が創造的努力なしに導き得るその他のすべての実施形態は、本発明の範囲内にある。
【００１９】
本発明の実施形態で提供される意思決定方法が、アクセスネットワーク情報とアクセスユーザ情報とを含むアプリケーションセッション情報を受信するステップと、そのアプリケーションセッション情報に従ってポリシー及び課金の決定を行うステップと、を含む。
【００２０】
図１は、本発明の第１の実施形態による意思決定方法のフローチャートである。図１に示すように、この方法には以下のステップが含まれる。
【００２１】
ステップａ：ＡＦがアプリケーションセッション情報をＰＤＦへ送信する。
【００２２】
ＡＦはネットワーク上にアプリケーション機能を実装できるエンティティであり、例えば、３ＧＰＰ  ＰＣＣにおけるＡＦや、ＩＭＳネットワーク上のＰ−ＣＳＣＦ、等であり、ＰＤＦはネットワーク上でポリシー及び課金を決定できるエンティティであり、例えば３ＧＰＰ  ＰＣＣアーキテクチャにおけるＰＣＲＦや、３ＧＰＰ  Ｒｅｌ６のＰＤＦ等である。上記のアプリケーションセッション情報は、アクセスネットワーク情報とアクセスユーザ情報とを含む。
【００２３】
更に、アプリケーションセッション情報をＰＤＦへ送信する前に、ＡＦがＵＥと交信してアクセスネットワーク情報とアクセスユーザ情報とを取得してもよい。アクセスユーザ情報は、ＵＥのＩＰアドレス、又はパケットユーザ識別子を含み、ＩＰアドレスは、ＩＰｖ４アドレスあるいはＩＰｖ６アドレスのプレフィックスであってよい。
【００２４】
アクセスユーザ情報がＵＥのＩＰアドレスを含む場合には、アクセスネットワーク情報は、以下の識別子の少なくとも１つを含む。
【００２５】
・移動パケットネットワーク識別子
【００２６】
・ＰＤＮ識別子
【００２７】
アクセスネットワーク情報中の移動パケットネットワーク識別子は、ＵＥにＩＰアドレスを割り当てる移動パケットネットワークの識別子である。ＵＥが訪問先ネットワークにあり、ＵＥのＩＰアドレスが訪問先ネットワークによって割り当てられる場合には、アクセスネットワーク情報中の移動パケットネットワーク識別子は、ＵＥの訪問エリアにおける移動パケットネットワーク識別子であり、ＵＥのＩＰアドレスがホームネットワークによって割り当てられる場合には、アクセスネットワーク情報中の移動パケットネットワーク識別子は、ＵＥのホームエリアにおける移動パケットネットワーク識別子である。
【００２８】
移動パケットネットワーク識別子は一般に、移動国コード（ＭＣＣ）と移動ネットワークコード（ＭＮＣ）とから構成される。
【００２９】
アクセスポイント名（ＡＰＮ）は、ＡＰＮネットワーク識別子（ＮＩ）とＡＰＮオペレータ識別子（ＯＩ）とから構成される。移動パケットネットワーク識別子はＡＰＮ  ＯＩであってもよいし、別のパラメータであってもよい。ＰＤＮ識別子は、ＡＰＮ  ＮＩとＰＧＷアドレスとの少なくとも１つを含む。ＡＰＮ  ＮＩはＡＰＮに必須であり、ＰＤＮ識別子を含んでもよい。ＡＰＮ  ＯＩは任意選択であり、移動パケットネットワーク識別子を含んでもよい。
【００３０】
アクセスユーザ情報がＵＥのパケットユーザ識別子を含む場合には、アクセスネットワーク情報は移動パケットネットワーク識別子を含む。移動パケットネットワーク識別子は、ＵＥのホームエリアでの移動パケットネットワーク識別子である。
【００３１】
ステップｂ：ＰＤＦは、アプリケーションセッション情報に従ってポリシー及び課金の決定を行う。
【００３２】
ＰＤＦは、アプリケーションセッション情報内のアクセスネットワーク情報とアクセスユーザ情報とによってユーザを確定し、そのユーザの加入者情報を取得してポリシー及び課金ルールを生成する。ポリシー及び課金ルールは、課金情報及び／又はＱｏＳ情報を含む。
【００３３】
ＰＤＦは、ポリシー及び課金ルールをＰＣＥＦへ送信する。ＰＣＥＦは、ＰＧＷ、サービングゲートウェイ（ＳＧＷ）、又は３ＧＰＰ  ＥＰＳにおける発展型パケットデータゲートウェイ（ｅＰＤＧ）であってもよいし、あるいは３ＧＰＰではないネットワーク上の、ポリシー及び課金を実行するユニットであってもよい。ＰＤＦは、アプリケーションセッション情報内のアクセスネットワーク情報とアクセスユーザ情報とに従って、ＩＰ接続用アクセスネットワーク（ＩＮＴＥＲＮＥＴ  ＰＲＯＴＯＣＯＬ  ＣＯＮＮＥＣＴＩＶＩＴＹ  ＡＣＣＥＳＳ  ＮＥＴＷＯＲＫ）（ＩＰ−ＣＡＮ）セッションを一意的に確定し、ＩＰ−ＣＡＮセッションに対応するＰＣＥＦへポリシー及び課金ルールを配信する。ＰＣＥＦは、ポリシー及び課金ルールに従って課金を実行するか、又はＱｏＳを確保する。
【００３４】
上記の意思決定方法では、アプリケーションセッション情報が、アクセスネットワーク情報とアクセスユーザ情報とを含み、従って、ＰＤＦは、アクセスネットワーク情報とアクセスユーザ情報とに従ってユーザを一意的に確定し、ポリシー及び課金の決定を行うことができる。ＰＤＦはまた、アクセスネットワーク情報とアクセスユーザ情報とに従ってＩＰ−ＣＡＮセッションを一意的に確定し、ＩＰ−ＣＡＮセッションに対応するＰＣＥＦへポリシー及び課金ルールを配信する。
【００３５】
図２は本発明の第２の実施形態による、意思決定方法の信号伝達のフローチャートである。図２に示すように、この方法には以下のステップが含まれる。
【００３６】
ステップ１０１：ＵＥがネットワークにアクセスすると、アクセスゲートウェイ（ＰＧＷ）がＵＥへＩＰアドレスを割り当てる。
【００３７】
ＵＥが訪問先エリアで、移動パケットネットワーク、つまり公衆移動通信網（ＰＬＭＮ）にアクセスする。訪問先エリアのＰＬＭＮは、プライベートネットワークＩＰアドレス（例えば、１０．１．１．２）をＵＥへ割り当て、訪問先エリアＰＬＭＮ識別子をＵＥへ通知する。訪問先エリアＰＬＭＮ識別子中の移動国コード（ＭＣＣ）と移動ネットワークコード（ＭＮＣ）がロケーションエリア識別子（ＬＡＩ）に含まれて、ＵＥに通知される。あるいはその代わりに、ネットワークがＵＥにＡＰＮを送信し、そのＡＰＮのＯＩ部におけるＵＥのＩＰアドレス内に訪問先エリアＰＬＭＮ識別子が付属している。
【００３８】
ステップ１０２：アクセスゲートウェイは、訪問先エリアＰＤＦにＩＰ−ＣＡＮセッション作成指示を送信する。
【００３９】
ＰＧＷは、ＩＰ−ＣＡＮセッション作成指示を訪問先エリアＰＤＦ（ｖＰＣＲＦ）に報告する。ＩＰ−ＣＡＮセッション作成指示には、ＵＥの固有識別子、プライベートネットワークＩＰアドレス「１０．１．１．２」及び訪問先移動パケットネットワーク識別子中のＭＣＣとＭＮＣとが含まれる。ＵＥの固有識別子は、ＵＥを一意的に識別する情報である。例えば、ＵＥの国際移動体装置識別番号（ＩＭＥＩ）や、汎用パケット無線サービス（ＧＰＲＳ）における国際移動端末識別番号（ＩＭＳＩ）等である。ＩＭＳＩは、ＵＥのホームネットワーク情報及びユーザ識別情報を含み、ユーザを一意的に識別可能である。本実施形態においては、固有識別子はＩＭＳＩであり、ＩＰ−ＣＡＮセッション作成指示はＤｉａｍｅｔｅｒプロトコルに基づくクレジット管理要求（Ｃｒｅｄｉｔ−Ｃｏｎｔｒｏｌ  Ｒｅｑｕｅｓｔ；ＣＣＲ）メッセージを介して伝送される。
【００４０】
ステップ１０３：訪問先エリアのＰＤＦが、ＩＰ−ＣＡＮセッション作成指示をホームエリアのＰＤＦへ送信する。
【００４１】
ユーザのホームネットワーク情報（ＩＭＳＩに含まれている場合あり）に従って、ｖＰＣＲＦがホームネットワークにおけるホームエリアＰＤＦ（ｈＰＣＲＦ）のアドレスを確定し、ＩＰ−ＣＡＮセッション作成指示をｈＰＣＲＦへ送信する。
【００４２】
ステップ１０４：ホームエリアのＰＤＦがＵＥの固有識別子マッピング表を生成し、ＵＥのＩＭＳＩと、ＵＥのＩＰアドレス及び訪問先エリアでの移動パケットネットワーク識別子との間のマッピング関係を記録する。
【００４３】
ｈＰＣＲＦは、ＵＥの固有識別子マッピング表を生成する。ＵＥの固有識別子マッピング表は、ＵＥの固有識別子ＩＭＳＩと、アクセスした訪問先エリアネットワークのＭＣＣ及びＭＮＣと、プライベートＩＰアドレス「１０．１．１．２」との間のマッピング関係を記録する。ＵＥのＩＰアドレスと訪問先エリアの移動パケットネットワーク識別子とに従って、ＵＥの固有識別子マッピング表をクエリー（問い合わせ）することにより、ＵＥの固有識別子が取得される。
【００４４】
ステップ１０５：ホームエリアのＰＤＦが、ＩＰ−ＣＡＮセッションの作成応答をアクセスゲートウェイに送信する。
【００４５】
ステップ１０６：ＵＥがＳＩＰ要求メッセージをＡＦに送信する。ＳＩＰ要求メッセージには、ＵＥの訪問先エリアにおける移動パケットネットワーク識別子とプライベートＩＰアドレスが付属する。
【００４６】
ＵＥがＩＭＳセッション要求を送信し、ＳＩＰ要求メッセージをＰ−ＣＳＣＦへ送信する。ＳＩＰメッセージ本体内のセッション記述プロトコル（ＳＤＰ）に、メディアのアドレスとポート情報が付属する（ＩＰアドレス「１０．１．１．２」、ポート番号「２３１２」）。一方で、ＵＥにより送信されたＳＩＰ要求メッセージには、ＵＥの訪問先エリアにおける移動パケットネットワークの識別子が付属する。ＵＥが、ＳＩＰ要求メッセージのＰアクセスネットワーク情報ヘッダフィールドの中に基地局のＩＤ情報（ＣＧＩ）を挿入する。ＣＧＩは、訪問先エリアの移動パケットネットワーク識別子中のＭＣＣとＭＮＣとを含む。
【００４７】
ＵＥがＳＩＰ要求メッセージをＰＧＷに送信した後、ＰＧＷはそのメッセージをホームエリアにあるＰ−ＣＳＣＦへ転送する。
【００４８】
ステップ１０７：ＡＦがポリシー要求メッセージを生成し、ホームエリアのＰＤＦへ送信する。ポリシー要求メッセージ中のアプリケーションセッション情報は、ＵＥの訪問先エリアの移動パケットネットワーク識別子とＵＥのＩＰアドレスとを含む。
【００４９】
Ｐ−ＣＳＣＦが、ホームエリアのｈＰＣＲＦへポリシー要求を送信する。ポリシー要求には、訪問先エリアの移動パケットネットワーク識別子内にＭＣＣとＭＮＣとが付属し（即ち、ＵＥにより送信されたＳＩＰ要求メッセージに付属するＭＣＣとＭＮＣ）、かつＵＥのＩＰアドレス（１０．１．１２）が付属する。ポリシー要求は、Ｄｉａｍｅｔｅｒ  ＡＡ要求（ＡＡＲ）メッセージである。Ｄｉａｍｅｔｅｒプロトコルに、訪問先エリアの移動パケットネットワーク識別子のＭＣＣとＭＮＣを付属させるために、既存のＧＰＲＳネットワークのＧｘインターフェース上で使用される３ＧＰＰ  ＳＧＳＮネットワーク識別子の属性値ペア（ＡＶＰ）である「３ＧＰＰ−ＳＧＳＮ−ＭＣＣ−ＭＮＣ」が再利用されてもよいし、新しいＡＶＰ、例えば３ＧＰＰ  ＰＧＷネットワーク識別子「３ＧＰＰ−ＰＧＷ−ＭＣＣ−ＭＮＣ  ＡＶＰ」が定義されてもよい。ＡＶＰは、ＡＦとＰＤＦとの間でＭＣＣとＭＮＣを伝送するように設計されている。
【００５０】
ステップ１０８：ホームエリアのＰＤＦは、受信したＩＰアドレスと訪問先エリアの移動パケットネットワーク識別子とに従ってユーザを一意的に確定し、対応するポリシー及び課金ルールを生成する。
【００５１】
ｈＰＣＲＦが加入者データベースにクエリーしてユーザの加入者データを取得し、ポリシー及び課金ルールを生成する。例えば、ステップ１０４でＰ−ＣＳＣＦにより送信されたポリシー要求に付属する、訪問先エリアの移動パケットネットワーク識別子とＵＥのＩＰアドレス（１０．１．１．２）とに従って、ｈＰＣＲＦが、ステップ１０４で生成されたＵＥの固有識別子マッピング表を検索してＵＥの固有識別子（ＩＭＳＩ）を取得する。そして、ＩＭＳＩに従ってユーザの加入者データベースを検索してユーザの加入者データを取得し、ポリシー及び課金ルールを生成する。
【００５２】
ｈＰＣＲＦはローカルポリシーに従って、ポリシー及び課金ルールを生成する。
【００５３】
ステップ１０９：ホームエリアのＰＤＦは、ポリシー及び課金ルールをアクセスゲートウェイへ送信する。
【００５４】
ｈＰＣＲＦは訪問先エリアのＰＧＷへポリシー及び課金ルールを配信する。
【００５５】
あるいはその代わりに、ｈＰＣＲＦが、ステップ１０７で受信した訪問先エリアの移動パケットネットワーク識別子とＩＰアドレスとに従ってＩＰ−ＣＡＮセッションを一意的に確定し、そのＩＰ−ＣＡＮセッションに対応する訪問先エリアのＰＧＷへポリシー及び課金ルールを配信する。
【００５６】
上記のポリシー及び課金決定の方法では、ＵＥにＩＰアドレスを割り当てる、訪問先エリア移動パケットネットワーク識別子がアプリケーションセッション情報に追加される。従って、訪問先エリアの移動パケットネットワークによりＵＥに割り当てられるＩＰアドレスと、訪問先エリアの移動パケットネットワーク識別子とに従って、ＰＣＲＦはユーザを一意的に確定し、ポリシー及び課金決定を行うことができる。又は、訪問先エリアの移動パケットネットワークによりＵＥに割り当てられるＩＰアドレスと、訪問先エリアの移動パケットネットワーク識別子とに従ってＰＧＲＦがＩＰ−ＣＡＮセッションを一意的に確定し、そのＩＰ−ＣＡＮセッションに対応する訪問先エリアＰＧＷへポリシー及び課金ルールを配信する。
【００５７】
図３は本発明の第３の実施形態による、意思決定方法の信号伝達のフローチャートである。図３に示すように、この方法には以下のステップが含まれる。
【００５８】
ステップ２０１：ＵＥがネットワークにアクセスすると、アクセスゲートウェイがＵＥへＩＰアドレスを割り当てる。
【００５９】
ＵＥは訪問先エリアのＰＬＭＮネットワークへアクセスする。訪問先エリアのＰＬＭＮネットワークは、ＩＰアドレス「１０．１．１．２」をＵＥに割り当て、ＰＤＮ識別子とＰＬＭＮ識別子をＵＥに通知する。
【００６０】
ステップ１０１と同様の方法を利用して、ネットワークは、訪問先エリアの移動パケットネットワーク識別子と、ＵＥへのＰＤＮ識別子とをユーザのＬＡＩに含めさせる。ＰＤＮ識別子は、ＡＰＮ  ＮＩ、又はＰＤＮ識別子であってもよいし、あるいはアクセスゲートウェイ（ＰＧＷ）のアドレスであってもよい。
【００６１】
あるいは、ネットワークが完全なＡＰＮをＵＥに送信する。ＡＰＮのＮＩ部分はＰＤＮ識別子を含み、ＡＰＮのＯＩ部分は訪問先エリアの移動パケットネットワーク識別子を含む。
【００６２】
ステップ２０２：アクセスゲートウェイは、訪問先エリアＰＤＦにＩＰ−ＣＡＮセッション作成指示を送信する。
【００６３】
アクセスゲートウェイは、ｖＰＣＲＦにＩＰ−ＣＡＮセッション作成指示を送信する。
【００６４】
ステップ２０３：訪問先エリアのＰＤＦが、ＩＰ−ＣＡＮセッション作成指示をホームエリアのＰＤＦに送信する。
【００６５】
ユーザのホームネットワーク情報（ＩＭＳＩに含まれている場合あり）に従って、ｖＰＣＲＦがホームネットワークにおけるホームエリアＰＤＦ（ｈＰＣＲＦ）のアドレスを確定し、ＩＰ−ＣＡＮセッション作成指示をｈＰＣＲＦへ送信する。
【００６６】
ステップ２０４：ホームエリアのＰＤＦは、ＵＥの固有識別子マッピング表を生成する。ＵＥのＩＭＳＩと、ＵＥのＩＰアドレスと、訪問先エリアの移動パケットネットワーク識別子と、ＰＤＮ識別子との間のマッピング関係が表に記録される。ＵＥのＩＰアドレスと、訪問先エリアの移動パケットネットワーク識別子と、ＰＤＮ識別子とに従って、ホームエリアのＰＤＦが固有識別子マッピング表を検索してＵＥの固有識別子を探す。
【００６７】
ステップ２０５：ホームエリアのＰＤＦが、ＩＰ−ＣＡＮセッションの作成応答をアクセスゲートウェイに送信する。
【００６８】
ステップ２０６：ＵＥがＳＩＰ要求メッセージをＡＦに送信する。ＳＩＰ要求メッセージには、ＵＥの訪問先エリアにおける移動パケットネットワーク識別子と、ＰＤＮ識別子と、ユーザのＩＰアドレスとが付属する。
【００６９】
ＵＥは、ＩＭＳセッション要求をＰ−ＣＳＣＦへ送信する。ＳＩＰメッセージ本体中のＳＤＰに、メディアのアドレスとポート情報が含まれる（ＩＰアドレス「１０．１．１．２」、ポート番号「２３１２」）。ＵＥにより送信されたＳＩＰ要求メッセージには、ＵＥの訪問先エリアにおける移動パケットネットワーク識別子とＰＤＮ識別子とが付属する。
【００７０】
ステップ１０６と同様の方法を利用して、ＵＥにより送信されたＳＩＰ要求メッセージのＰアクセスネットワーク情報ヘッダフィールドが、訪問先エリアにおける移動パケットネットワークの識別子とＰＤＮ識別子とを含んでもよい。Ｐアクセスネットワーク情報ヘッダフィールドがＰＤＮ識別子を含むようにするために、ＡＰＮ  ＮＩ、又はＰＤＮ  ＩＰパラメータＩＤ、又はゲートウェイアドレスパラメータＧＷＡｄｄｒｅｓｓが、Ｐアクセスネットワーク情報ヘッダフィールドに加えられて、ＡＰＮ  ＮＩ、又はＰＤＮ識別子、又はアクセスゲートウェイアドレス情報が個別に含まれるようにする。
【００７１】
ＵＥはまた、完全なＡＰＮを使用して、移動パケットネットワーク識別子とＰＤＮ識別子とを付属するようにしてもよい。ＡＰＮのＮＩ部分はＰＤＮ識別子を含み、ＡＰＮのＯＩ部分は訪問先エリアの移動パケットネットワーク識別子を含む。
【００７２】
ＵＥは、Ｐアクセスネットワーク情報ヘッダフィールド等の既存のＳＩＰヘッダフィールドを再利用するか、又はＰ−ＡＰＮ情報ヘッダフィールド等の新規のヘッダフィールドを利用してＡＰＮ情報を含んでもよい。
【００７３】
ステップ２０７：ＡＦがポリシー要求メッセージを生成し、ホームエリアのＰＤＦへ送信する。ポリシー要求メッセージ内のアプリケーションセッション情報は、ＵＥの訪問先エリアの移動パケットネットワーク識別子とＰＤＮ識別子とＵＥのＩＰアドレスとを含む。
【００７４】
このステップは、ＰＤＮ識別子がポリシー要求メッセージに加えられている点が、第１の実施形態のステップ１０７とは異なる。Ｄｉａｍｅｔｅｒプロトコルに、訪問先エリアネットワーク識別子とＰＤＮ識別子情報とが付属するようにするために、ＵＥは、既存のＧＰＲＳネットワークのＧｘインターフェース上で使用される３ＧＰＰ−ＳＧＮアドレスＡＶＰを再利用するか、３ＧＰＰ−ＰＤＮ−ネットワーク−ＩＤ  ＡＶＰ等の新規のＡＶＰを定義して、ＰＤＮ識別子情報の中にアクセスゲートウェイアドレス情報を付属させる。ＡＶＰの値は、ＡＰＮ  ＮＩかＰＤＮ識別子かアクセスゲートウェイアドレスであってよい。そしてＡＶＰは、ＡＦとＰＤＦとの間にＰＤＮ識別子情報を伝送するように設計されている。
【００７５】
ＡＦは完全なＡＰＮを使用して、移動パケットネットワーク識別子とＰＤＮ識別子とが付属するようにしてもよい。ＡＰＮのＮＩ部分はＰＤＮ識別子を含み、ＡＰＮのＯＩ部分は訪問先エリアの移動パケットネットワーク識別子を含む。
【００７６】
ＤｉａｍｅｔｅｒプロトコルのＡＰＮ情報を伝送するために、３ＧＰＰ−ＡＰＮ情報ＡＶＰ等の新規のＡＶＰを定義して、移動パケットネットワーク識別子とＰＤＮ識別子をＡＦとＰＤＦとの間で伝送できるようにしてもよい。
【００７７】
ステップ２０８：ホームエリアのＰＤＦは、ステップ２０７で受信した、ＩＰアドレスと、ＰＤＮ識別子と、訪問先エリアの移動パケットネットワーク識別子とに従って、ユーザを一意的に確定し、対応するポリシー及び課金ルールを生成する。
【００７８】
ステップ２０７で受信した、訪問先エリアの移動パケットネットワーク識別子とＰＤＮ識別子とＩＰアドレスとに従って、ホームエリアのＰＤＦが、ステップ２０４で生成されたＵＥの固有識別子マッピング表を検索してＵＥの固有識別子情報である「ＩＭＳＩ」を取得し、このＩＭＳＩに従ってユーザの加入者データベースを検索してユーザの加入者データを取得し、ポリシー及び課金ルールを生成する。
【００７９】
ホームエリアのＰＤＦは、ローカルポリシーに従って、対応するポリシー及び課金ルールを生成してもよい。
【００８０】
ステップ２０９：ホームエリアのＰＤＦは、ポリシー及び課金ルールをアクセスゲートウェイへ送信する。
【００８１】
あるいはその代わりに、ｈＰＣＲＦが、ステップ２０７で受信した訪問先エリアの移動パケットネットワーク識別子と、ＩＰアドレスと、ＰＤＮ識別子とに従ってＩＰ−ＣＡＮセッションを一意的に確定し、そのＩＰ−ＣＡＮセッションに対応するＰＧＷへポリシー及び課金ルールを配信する。
【００８２】
上記のポリシー及び課金決定方法では、ＵＥの訪問先エリア移動パケットネットワーク識別子とＰＤＮ識別子とがアプリケーションセッション情報に追加される。従って、ネットワークによりＵＥに割り当てられるＩＰアドレスと、訪問先エリアの移動パケットネットワーク識別子と、ＰＤＮ識別子とに従って、ＰＣＲＦはユーザを一意的に確定し、ポリシー及び課金決定を行うことができる。又は、ネットワークによりＵＥに割り当てられるＩＰアドレスと、訪問先エリアの移動パケットネットワーク識別子と、ＰＤＮ識別子とに従って、ＰＣＲＦがＩＰ−ＣＡＮセッションを一意的に確定し、そのＩＰ−ＣＡＮセッションに対応するＰＧＷへポリシー及び課金ルールを配信する。
【００８３】
図４は、本発明の第４の実施形態による、意思決定方法の信号伝達のフローチャートである。図４に示すように、この方法には以下のステップが含まれる。
【００８４】
ステップ３０１：ＵＥがネットワークにアクセスすると、アクセスゲートウェイがＵＥへプライベートＩＰアドレスを割り当てる。
【００８５】
非ローミングの場合には、ＵＥはホームＰＬＭＮへアクセスする。ネットワークは、ＵＥにプライベートネットワークＩＰアドレス「１０．１．１．２」を割り当て、ローカル移動パケットネットワーク識別子をＵＥに通知する。本実施形態においては、訪問先ネットワークはＵＥのホームネットワークと同じなので、ＵＥのローカル移動パケットネットワーク識別子は適用する必要がない。ネットワークは、ＰＤＦ識別子情報もＵＥへ通知する。ＰＤＮ識別子情報はＡＰＮでも、ＰＤＮ識別子でもよいし、あるいはアクセスゲートウェイ（ＰＧＷ）アドレスであってもよい。
【００８６】
ステップ３０２：アクセスゲートウェイは、訪問先エリアＰＤＦにＩＰ−ＣＡＮセッション作成指示を送信する。
【００８７】
ＰＧＷは、ＩＰ−ＣＡＮセッション作成指示をネットワークのＰＣＲＦに報告する。ＩＰ−ＣＡＮセッション作成指示は、ＵＥの固有識別子情報「ＩＭＳＩ」と、プライベートネットワークＩＰアドレス「１０．１．１．２」と、ＰＤＮ識別子情報とを含む。ＩＰ−ＣＡＮセッション作成指示がＤｉａｍｅｔｅｒ  ＣＣＲメッセージに付属する。
【００８８】
本実施形態において、ＵＥがアクセスするＰＤＮはプライベートネットワークＩＰアドレスを使用する。これはＰＧＷのネットワークアドレス変換（ＮＡＴ）により変換された。従って、ＰＧＷは上記のリクエストに対してＮＡＴを実行する。ＩＰ−ＣＡＮセッション作成指示内のＩＰアドレス情報は変更されないままで、ＰＧＷはＩＰ−ＣＡＮセッション作成指示をＰＣＲＦへ送信する。
【００８９】
ステップ３０３：ＰＤＦは、ＵＥの固有識別子マッピング表を生成する。この表は、ＵＥのＩＭＳＩと、ＵＥのＩＰアドレスと、ＰＤＮ識別子との間のマッピング関係を記録する。ＵＥのＩＰアドレスとＰＤＮ識別子とに従って、ホームネットワークのＰＤＦが固有識別子マッピング表の中からＵＥの固有識別子を検索する。
【００９０】
ＰＣＲＦは、ＵＥの固有識別子マッピング表を生成する。この表は、ＵＥのユーザ識別子「ＩＭＳＩ」と、ＰＤＮ識別子と、プライベートネットワークＩＰアドレス「１０．１．１．２」との間のマッピング関係を記録する。
【００９１】
ステップ３０４：ＰＤＦが、ＩＰ−ＣＡＮセッション作成応答をアクセスゲートウェイに送信する。
【００９２】
ステップ３０５：ＵＥがＳＩＰ要求メッセージをＡＦに送信する。ＳＩＰ要求メッセージには、ＰＤＮ識別子とＵＥのプライベートネットワークＩＰアドレスとが付属する。
【００９３】
このステップは、ＳＩＰ要求メッセージが異なる情報を持つこと以外は、第１の実施形態のステップ１０６と同じである。ＰＧＷが、ＮＡＴの後、ＳＩＰメッセージをそのままで上記のメッセージをＰ−ＣＳＣＦへ転送する。
【００９４】
ステップ３０６：ＡＦが、ポリシー要求メッセージを生成し、ＰＤＦへ送信する。ポリシー要求メッセージには、ＰＤＮ識別子とＵＥのプライベートネットワークＩＰアドレスとが付属する。Ｐ−ＣＳＣＦがポリシー要求をＰＣＲＦへ送信する。ポリシー要求のアプリケーションセッション情報は、ＵＥによりアクセスされたＰＤＮの識別子と、プライベートネットワークＩＰアドレスとを含む。ポリシー要求は、Ｄｉａｍｅｔｅｒ  ＡＡＲメッセージである。ＤｉａｍｅｔｅｒプロトコルにＰＤＮ識別子情報を付属させるために、既存のＧＰＲＳネットワークのＧｘインターフェース上で使用される３ＧＰＰ−ＳＧＮアドレスＡＶＰを再利用するか、ＰＤＮ識別子情報にアクセスゲートウェイアドレス情報が付属するように、３ＧＰＰ−ＡＰＮ情報か、３ＧＰＰ−ＰＤＮネットワーク識別子ＡＶＰ等の新しいＡＶＰが定義されてもよい。ＡＶＰの値は、ＡＰＮかＰＤＮ識別子かアクセスゲートウェイアドレスであってよい。そしてＡＶＰはＡＦとＰＤＦとの間にＰＤＮ識別子情報を伝送するように設計されている。
【００９５】
ステップ３０７：ＰＤＦは、ステップ３０６で受信した、ＩＰアドレスとＰＤＮ識別子とに従ってユーザを一意的に確定し、対応するポリシー及び課金ルールを生成する。
【００９６】
ステップ３０６でＰ−ＣＳＣＦから受信したポリシー要求におけるＰＤＮ識別子情報とＵＥのプライベートネットワークＩＰアドレスとに従って、ＰＣＲＦは、ステップ３０３で生成されたＵＥの固有識別子マッピング表を検索してＵＥの固有識別子情報「ＩＭＳＩ」を取得し、そのＩＭＳＩに従ってユーザの加入者データベースを検索してユーザの加入者データを取得し、ポリシー及び課金決定を行い、ポリシー及び課金ルールを生成する。
【００９７】
ＰＤＦはローカルポリシーに従って、対応するポリシー及び課金ルールも生成する。
【００９８】
ステップ３０８：ＰＤＦは、ポリシー及び課金ルールをアクセスゲートウェイへ送信する。
【００９９】
あるいはその代わりに、ＰＤＦが、ステップ３０６で受信したＩＰアドレスとＰＤＮ識別子とに従ってＩＰ−ＣＡＮセッションを一意的に確定し、そのＩＰ−ＣＡＮセッションに対応するＰＧＷへポリシー及び課金ルールを配信する。
【０１００】
上記のポリシー及び課金決定の方法において、ＵＥのＰＤＮ識別子がアプリケーションセッション情報に追加される。従って、ＰＣＲＦは、ネットワークによりＵＥに割り当てられたプライベートネットワークＩＰアドレスとＰＤＮ識別子とに従ってユーザを一意的に確定し、ポリシー及び課金決定をすることができる。又は、ネットワークによりＵＥに割り当てられたプライベートネットワークＩＰアドレスと、ＰＤＮ識別子とに従って、ＰＣＲＦはＩＰ−ＣＡＮセッションを一意的に確定し、そのＩＰ−ＣＡＮセッションに対応するＰＧＷへポリシー及び課金ルールを配信する。
【０１０１】
図５は本発明の第５の実施形態による、意思決定方法の信号伝達のフローチャートである。図５に示すように、この方法には以下のステップが含まれる。
【０１０２】
ステップ４０１：ＵＥがネットワークにアクセスすると、アクセスゲートウェイがプライベートＩＰアドレスをＵＥへ割り当てる。
【０１０３】
非ローミングの場合には、ＵＥはホームＰＬＭＮへアクセスする。ネットワークがＵＥにＩＰアドレス「１０．１．１．２」を割り当てる。
【０１０４】
ステップ４０２〜４０４：これらのステップは、本明細書のユーザ識別方法の第３の実施形態中のステップ３０２〜３０４と同一である。違いは、ＰＧＷがＮＡＴ機能の実施を必要としないことで、ＩＰ−ＣＡＮセッション作成指示にはＰＤＮ識別子が含まれず、ＰＤＦはユーザ識別子とＵＥのＩＰアドレスとの間のマッピング関係を記録する。
【０１０５】
ステップ４０５：ＵＥがＳＩＰ要求メッセージをＡＦに送信する。ＳＩＰ要求メッセージにはＵＥのユーザ識別子とＩＰアドレスと、ＵＥのホーム移動パケットネットワーク識別子とが付属する。
【０１０６】
ＵＥがＩＭＳセッション要求を送信し、ＳＩＰ要求メッセージをＰ−ＣＳＣＦへ送信する。ＳＩＰメッセージ本体中のセッション記述プロトコル（ＳＤＰ）には、メディアのアドレスとポートが付属している（ＩＰアドレス「１０．１．１．２」、ポート番号「２３１２」）。その一方で、ＵＥにより送信されたＳＩＰ要求メッセージには、ＵＥがデータネットワークのアクセスに使用するユーザ識別子と、ＵＥのホーム移動パケットネットワーク識別子とが付属している。例えば、ＧＡＲＳネットワークにおけるＩＭＳＩには、ＵＥのユーザ識別子と、ＵＥのホーム移動パケットネットワークのＭＣＣ、ＭＮＣ情報とが含まれている。
【０１０７】
ＳＩＰ要求メッセージにユーザ識別子を付属させるために、Ｐアクセスネットワーク情報ヘッダフィールド内のユーザパラメータを拡張して、ＵＥがデータネットワークにアクセスするための、ホームネットワーク情報とユーザ識別子とを付属するようにしてもよい。
【０１０８】
ステップ４０６：Ｐ−ＣＳＣＦがポリシー要求メッセージをＰＣＲＦへ送信する。ポリシー要求メッセージのアプリケーションセッション情報は、ＵＥのユーザ識別子と、ＵＥのホーム移動パケットネットワーク識別子とを含む。
【０１０９】
３ＧＰＰ  ＰＣＣアーキテクチャにおいては、ポリシー要求はＤｉａｍｅｔｅｒ  ＡＡＲメッセージである。既存の３ＧＰＰ仕様により定義される加入者ＩＤ  ＡＶＰを利用して、ＵＥがデータネットワークにアクセスするためのユーザ識別子をＤｉａｍｅｔｅｒプロトコルに付属させてもよい。
【０１１０】
ステップ４０７：ＰＤＦは、ステップ４０６で受信した、ＵＥのユーザ識別子と、ＵＥのホーム移動パケットネットワーク識別子とに従ってユーザを一意的に確定し、対応するポリシー及び課金ルールを生成する。
【０１１１】
この実施形態では、ＰＤＦがＵＥのＩＭＳＩに従ってユーザの加入者データベースを検索してユーザの加入者データを取得し、ポリシー及び課金決定ルールを生成する。
【０１１２】
ＰＤＦはローカルポリシーに従って、対応するポリシー及び課金ルールも生成する。
【０１１３】
ステップ４０８：ＰＤＦは、ポリシー及び課金ルールをアクセスゲートウェイへ送信する。
【０１１４】
あるいはその代わりに、ＰＤＦが、ステップ４０６で受信したＵＥのユーザ識別子と、ＵＥのホーム移動パケットネットワーク識別子とに従ってＩＰ−ＣＡＮセッションを一意的に確定し、そのＩＰ−ＣＡＮセッションに対応するＰＧＷへポリシー及び課金ルールを配信する。
【０１１５】
上記のポリシー及び課金決定の方法において、Ｐ−ＣＳＣＦがＵＥと交信してＵＥのユーザ識別子とＵＥのホーム移動パケットネットワーク識別子とを取得する。ポリシー要求メッセージのアプリケーションセッション情報は、ＵＥのユーザ識別子と、ＵＥのホーム移動パケットネットワーク識別子とを含む。従って、ＰＣＲＦはユーザを一意的に確定し、ポリシー及び課金決定を行うことが可能である。あるいはその代わりに、ＰＤＦが、ＵＥのユーザ識別子と、ＵＥのホーム移動パケットネットワーク識別子とに従ってＩＰ−ＣＡＮセッションを一意的に確定し、そのＩＰ−ＣＡＮセッションに対応するＰＧＷへポリシー及び課金ルールを配信する。
【０１１６】
当業者であれば、本発明の実施形態による方法のすべてのステップ、あるいは一部のステップは、関連するハードウェアに命令をするプログラムで実装されてもよいことは理解されるであろう。プログラムはコンピュータ可読記憶媒体に格納されてもよい。プログラムが動作すると、本発明の実施形態に従う方法のステップが実行される。記憶媒体は、読み出し専用メモリ（ＲＯＭ）、ランダムアクセスメモリ（ＲＡＭ）、磁気ディスク、又は、コンパクトディスク読み出し専用メモリ（ＣＤ−ＲＯＭ）等の、プログラムコードを格納できる任意の媒体であってよい。
【０１１７】
図６は、本発明の実施形態におけるＰＤＦ構造を示す図である。ＰＤＦは、アクセスネットワーク情報とアクセスユーザ情報とを含むアプリケーションセッション情報を受信するように構成された受信モジュール２１と、アプリケーションセッション情報に従ってポリシー及び課金決定を行うように構成された意思決定モジュール２２とを含む。
【０１１８】
図７に示すように、意思決定モジュール２２が、アプリケーションセッション情報に従って、ＵＥ識別子、又はＩＰ−ＣＡＮセッションを確定し、ポリシー及び課金ルールを生成するように構成されたポリシー及び課金ルール生成サブユニット２２１と、ポリシー及び課金ルールをＰＣＥＦに配信し、ポリシー及び課金決定を施行するように構成された配信サブモジュール２２２と、を含む。
【０１１９】
アクセスユーザ情報はＵＥのＩＰアドレスを含み、アクセスネットワーク情報は移動パケットネットワーク識別子及び／又はＰＤＮ識別子を含み、移動パケットネットワーク識別子はＩＰアドレスをＵＥに割り当てる移動パケットネットワーク識別子を含み、ＰＤＮ識別子はＡＰＮネットワーク識別子とＰＤＮ識別子とアクセスゲートウェイアドレスの少なくとも１つを含み、アクセスユーザ情報はＵＥのユーザ識別子を含み、アクセスネットワーク情報は移動パケットネットワーク識別子を含み、移動パケットネットワーク識別子はＵＥのホームエリアの移動パケットネットワーク識別子である。
【０１２０】
ＰＤＦはＰＣＲＦ、又はポリシー決定機能であってもよい。
【０１２１】
アプリケーションセッション情報に含まれるアクセスネットワーク情報とアクセスユーザ情報とに従って、ＰＤＦはユーザを一意的に確定し、ポリシー及び課金を決定することができる。
【０１２２】
図８は、本発明の実施形態におけるポリシー決定システムの構造を示す図である。このシステムは、アクセスネットワーク情報とアクセスユーザ情報とを含むアプリケーションセッション情報を提供するように構成されたＡＦ１と、アプリケーションセッション情報を受信し、そのアプリケーションセッション情報に従ってポリシー及び課金決定を行うように構成されたＰＤＦ２を含む。
【０１２３】
図９に示すように、ＰＤＦ２は、アプリケーションセッション情報に従って、ＵＥ識別子、又はＩＰ−ＣＡＮセッションを確定し、ポリシー及び課金ルールを生成するように構成された、ポリシー及び課金ルール生成サブユニット９１と、ポリシー及び課金ルールをＰＣＥＦに配信し、ポリシー及び課金決定を施行するように構成された配信サブモユニット９２と、を含む。
【０１２４】
このシステムは更に、ＡＦに対しアクセスネットワーク情報とアクセスユーザ情報を提供するように構成されたＵＥ３を含む。ＡＦは更に、ＵＥと交信してＵＥのアクセスネットワーク情報とアクセスユーザ情報とを取得するように構成された取得モジュールを含む。
【０１２５】
このシステムは、ＵＥに対しアクセスネットワーク情報又はアクセスユーザ情報を提供するように構成された、情報提供ユニット４を更に含む。情報提供ユニットは、パケットデータゲートウェイ又はサービスデータゲートウェイ又はモビリティ管理機能（ＭＭＥ）であってよい。
【０１２６】
上記の意思決定システムでは、アプリケーションセッション情報が、アクセスネットワーク情報とアクセスユーザ情報とを含み、従って、ＰＤＦは、アクセスネットワーク情報とアクセスユーザ情報とに従ってユーザを一意的に確定し、ポリシー及び課金の決定を行うことができる。
【０１２７】
当業者にはわかるように、例えば、ＰＤＦ、ＰＣＥＦ、ＡＦ等の、上記の実施形態の方法のすべてあるいは一部のステップは、コンピュータプログラムの命令を受けるハードウェアで実装されてもよい。プログラムはコンピュータ可読記憶媒体に格納されてもよい。実行により、プログラムは上記の方法の実施形態のプロセスを遂行することができる。記憶媒体は、磁気ディスク、コンパクトディスク読み出し専用メモリ（ＣＤ−ＲＯＭ）、読み出し専用メモリ（ＲＯＭ）、又はランダムアクセスメモリ（ＲＡＭ）であってよい。
【０１２８】
最後に、上記の実施形態は、本発明の技術的解法を説明するためだけに提供されるものであって、本発明を制限するものではないことに留意されたい。本発明の精神および範囲から逸脱することなく、当業者がさまざまな修正および変形を本発明に対して行えることは明らかである。以下の特許請求の範囲およびその等価物によって定義される保護範囲にある修正、変形は本発明に含まれることが意図されている。
【図１】
2011509610.tif 000003
【図２】
2011509610.tif 000004
【図３】
2011509610.tif 000005
【図４】
2011509610.tif 000006
【図５】
2011509610.tif 000007
【図６】
2011509610.tif 000008
【図７】
2011509610.tif 000009
【図８】
2011509610.tif 000010
【図９】
2011509610.tif 000011
【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
アクセスネットワーク情報とアクセスユーザ情報とを含むアプリケーションセッション情報を受信するステップと、
前記アプリケーションセッション情報に従ってポリシー及び課金の決定を行うステップと、
を含む意思決定方法。
【請求項２】
前記アプリケーションセッション情報に従ってポリシー及び課金の決定を行う前記ステップが、
ポリシー決定機能（ＰＤＦ）により、前記アプリケーションセッション情報に従ってユーザ端末（ＵＥ）識別子又はＩＰ接続用アクセスネットワーク（ＩＮＴＥＲＮＥＴ  ＰＲＯＴＯＣＯＬ  ＣＯＮＮＥＣＴＩＶＩＴＹ  ＡＣＣＥＳＳ  ＮＥＴＷＯＲＫ）（ＩＰ−ＣＡＮ）セッションを確定し、ポリシー及び課金ルールを生成するステップと、
前記ポリシー及び課金ルールをポリシー及び課金施行機能（ＰＣＥＦ）に配信し、ポリシー及び課金決定を施行するステップと、
を含むことを特徴とする、請求項１に記載の意思決定方法。
【請求項３】
アプリケーション機能（ＡＦ）により、前記アクセスネットワーク情報と前記アクセスユーザ情報とを含む前記アプリケーションセッション情報を前記ＵＥから受信するステップと、
前記ＡＦにより、前記アクセスネットワーク情報と前記アクセスユーザ情報とを前記ＰＤＦに送信するステップと、
をさらに含むことを特徴とする、請求項１又は２に記載の意思決定方法。
【請求項４】
ネットワークにより、前記アクセスネットワーク情報と前記アクセスユーザ情報とをＩＰ−ＣＡＮ設定過程において前記ＵＥへ送信するステップを更に含み、
前記アプリケーションネットワーク情報は、移動パケットネットワーク識別子とパケットデータネットワーク（ＰＤＮ）識別子との少なくとも１つを含み、かつ前記アクセスユーザ情報は、ＩＰアドレスとユーザ識別子との少なくとも１つを含むことを特徴とする、請求項３に記載の意思決定方法。
【請求項５】
アクセスゲートウェイが、ユーザ端末（ＵＥ）のユーザ識別子と、ＩＰアドレスと、移動パケットネットワーク識別子及びパケットデータネットワーク（ＰＤＮ）識別子の少なくとも１つの識別子とを含むＩＰ接続用アクセスネットワーク（ＩＮＴＥＲＮＥＴ  ＰＲＯＴＯＣＯＬ  ＣＯＮＮＥＣＴＩＶＩＴＹ  ＡＣＣＥＳＳ  ＮＥＴＷＯＲＫ）（ＩＰ−ＣＡＮ）セッション生成指示をポリシー決定機能（ＰＤＦ）へ送信するステップを更に含み、
前記ＰＤＦにより、前記ＵＥのユーザ識別子と前記ＩＰアドレスと前記移動パケットネットワーク識別子との間のマッピング関係を記録するステップ、
前記ＰＤＦにより、前記ＵＥのユーザ識別子と前記ＩＰアドレスと前記ＰＤＮ識別子との間のマッピング関係を記録するステップ、
又は、前記ＰＤＦにより、前記ＵＥのユーザ識別子と前記ＩＰアドレスと前記移動パケットネットワーク識別子と前記ＰＤＮ識別子との間のマッピング関係を記録するステップを更に含むことを特徴とする、請求項１に記載の意思決定方法。
【請求項６】
前記アプリケーションセッション情報に従ってポリシー及び課金の決定を行う前記ステップは、
前記ＰＤＦにより、前記マッピング関係と前記ＵＥの前記ユーザ識別子とに従ってユーザの加入者データベースを検索するステップと、
前記ＰＤＦにより，ポリシー及び課金ルールを生成するステップと、
を含むことを特徴とする、請求項５に記載の意思決定方法。
【請求項７】
前記ＰＣＥＦは、前記ＩＰ−ＣＡＮセッションに対応するＰＣＥＦであることを特徴とする、請求項２に記載の意思決定方法。
【請求項８】
アクセスネットワーク情報とアクセスユーザ情報とを含むアプリケーションセッション情報を受信するように構成された受信モジュールと、
前記アプリケーションセッション情報に従ってポリシー及び課金の決定を行うように構成された意思決定モジュールと、
を備える、ポリシー決定機能（ＰＤＦ）。
【請求項９】
前記アクセスユーザ情報は、ユーザ端末（ＵＥ）のインターネットプロトコル（ＩＰ）アドレスを含み、
前記アクセスネットワーク情報は、移動パケットネットワーク識別子及びパケットデータネットワーク（ＰＤＮ）識別子の少なくとも１つの識別子を含む、
ことを特徴とする、請求項８に記載のＰＤＦ。
【請求項１０】
前記移動パケットネットワークの前記識別子は、前記ＵＥに前記ＩＰアドレスを割り当てる前記移動パケットネットワークの前記識別子を備えることを特徴とする、請求項９に記載のＰＤＦ。
【請求項１１】
前記ＰＤＮ識別子は、アクセスポイント名（ＡＰＮ）ネットワーク識別子とアクセスゲートウェイアドレスとの少なくとも１つ含むことを特徴とする、請求項９又は１０に記載のＰＤＦ。
【請求項１２】
前記アクセスユーザ情報は、前記ＵＥのユーザ識別子を含み、前記アクセスネットワーク情報は、移動パケットネットワークの識別子を含むことを特徴とする、請求項１１に記載のＰＤＦ。
【請求項１３】
前記ＰＤＦは、ポリシー及び課金ルール機能（ＰＣＲＦ）とポリシー決定機能の１つであることを特徴とする、請求項８から１２のいずれか１項に記載のＰＤＦ。
【請求項１４】
前記意思決定モジュールは、
前記アプリケーションセッション情報に従って、ユーザ端末（ＵＥ）識別子の１つと、ＩＰ接続用アクセスネットワーク（ＩＮＴＥＲＮＥＴ  ＰＲＯＴＯＣＯＬ  ＣＯＮＮＥＣＴＩＶＩＴＹ  ＡＣＣＥＳＳ  ＮＥＴＷＯＲＫ）（ＩＰ−ＣＡＮ）セッションとを確定し、ポリシー及び課金ルールを生成するように構成されたポリシー及び課金ルール生成サブモジュールと、
前記ポリシー及び課金ルールをポリシー及び課金施行機能（ＰＣＥＦ）に配信し、ポリシー及び課金決定を施行するように構成された配信サブモジュールと、を含むことを特徴とする、請求項８に記載のＰＤＦ。
【請求項１５】
アクセスネットワーク情報とアクセスユーザ情報とを含むアプリケーションセッション情報を提供するように構成されたアプリケーション機能（ＡＦ）と、
請求項８〜１４の何れか１項に記載のポリシー決定機能（ＰＤＦ）と、
を備える、意思決定システム。
【手続補正２】
【補正対象書類名】明細書
【補正対象項目名】０００１
【補正方法】削除
【補正の内容】
【手続補正３】
【補正対象書類名】明細書
【補正対象項目名】００３７
【補正方法】変更
【補正の内容】
【００３７】
ＵＥが訪問先エリアで、移動パケットネットワーク、つまり公衆移動通信網（ＰＬＭＮ）にアクセスする。訪問先エリアのＰＬＭＮは、プライベートネットワークＩＰアドレス（例えば、１０．１．１．２、以下の記載では、ＩＰアドレス１０．１．１．２は単なる一例として例示。）をＵＥへ割り当て、訪問先エリアＰＬＭＮ識別子をＵＥへ通知する。訪問先エリアＰＬＭＮ識別子中の移動国コード（ＭＣＣ）と移動ネットワークコード（ＭＮＣ）がロケーションエリア識別子（ＬＡＩ）に含まれて、ＵＥに通知される。あるいはその代わりに、ネットワークがＵＥにＡＰＮを送信し、そのＡＰＮのＯＩ部におけるＵＥのＩＰアドレス内に訪問先エリアＰＬＭＮ識別子が付属している。
【手続補正４】
【補正対象書類名】明細書
【補正対象項目名】００４６
【補正方法】変更
【補正の内容】
【００４６】
ＵＥがＩＭＳセッション要求を送信し、ＳＩＰ要求メッセージをＰ−ＣＳＣＦへ送信する。ＳＩＰメッセージ本体内のセッション記述プロトコル（ＳＤＰ）に、メディアのアドレスとポート情報が付属する（ＩＰアドレス「１０．１．１．２」、ポート番号「２３１２」、以下の記載では、ポート番号「２３１２」を単なる一例として例示。）
）。一方で、ＵＥにより送信されたＳＩＰ要求メッセージには、ＵＥの訪問先エリアにおける移動パケットネットワークの識別子が付属する。ＵＥが、ＳＩＰ要求メッセージのＰアクセスネットワーク情報ヘッダフィールドの中に基地局のＩＤ情報（ＣＧＩ）を挿入する。ＣＧＩは、訪問先エリアの移動パケットネットワーク識別子中のＭＣＣとＭＮＣとを含む。
【手続補正５】
【補正対象書類名】明細書
【補正対象項目名】００５１
【補正方法】変更
【補正の内容】
【００５１】
ｈＰＣＲＦが加入者データベースにクエリーしてユーザの加入者データを取得し、ポリシー及び課金ルールを生成する。例えば、ステップ１０７でＰ−ＣＳＣＦにより送信されたポリシー要求に付属する、訪問先エリアの移動パケットネットワーク識別子とＵＥのＩＰアドレス（１０．１．１．２）とに従って、ｈＰＣＲＦが、ステップ１０４で生成されたＵＥの固有識別子マッピング表を検索してＵＥの固有識別子（ＩＭＳＩ）を取得する。そして、ＩＭＳＩに従ってユーザの加入者データベースを検索してユーザの加入者データを取得し、ポリシー及び課金ルールを生成する。
【手続補正６】
【補正対象書類名】明細書
【補正対象項目名】００８５
【補正方法】変更
【補正の内容】
【００８５】
非ローミングの場合には、ＵＥはホームＰＬＭＮへアクセスする。ネットワークは、ＵＥにプライベートネットワークＩＰアドレス「１０．１．１．２」を割り当て、ローカル移動パケットネットワーク識別子をＵＥに通知する。本実施形態においては、訪問先ネットワークはＵＥのホームネットワークと同じなので、ＵＥのローカル移動パケットネットワーク識別子は適用する必要がない。ネットワークは、ＰＤＦ識別子情報もＵＥへ通知する。ＰＤＮ識別子情報はＡＰＮでも、あるいはアクセスゲートウェイ（ＰＧＷ）アドレスであってもよい。
【手続補正７】
【補正対象書類名】明細書
【補正対象項目名】００９６
【補正方法】変更
【補正の内容】
【００９６】
ステップ３０６でＰ−ＣＳＣＦから受信したポリシー要求におけるＰＤＮ識別子情報とＵＥのプライベートネットワークＩＰアドレスとに従って、ＰＣＲＦは、ステップ３０３で生成されたＵＥの固有識別子マッピング表を検索してＵＥの固有識別子情報「ＩＭＳＩ」を取得し、そのＩＭＳＩに従ってユーザの加入者データベースを検索してユーザの加入者データを取得し、ポリシー及び課金ルールを生成する。
【手続補正８】
【補正対象書類名】明細書
【補正対象項目名】０１１１
【補正方法】変更
【補正の内容】
【０１１１】
この実施形態では、ＰＤＦがＵＥのＩＭＳＩに従ってユーザの加入者データベースを検索してユーザの加入者データを取得し、ポリシー及び課金ルールを生成する。
【手続補正９】
【補正対象書類名】明細書
【補正対象項目名】０１１９
【補正方法】変更
【補正の内容】
【０１１９】
アクセスユーザ情報はＵＥのＩＰアドレスを含み、アクセスネットワーク情報は移動パケットネットワーク識別子及び／又はＰＤＮ識別子を含み、移動パケットネットワーク識別子はＩＰアドレスをＵＥに割り当てる移動パケットネットワーク識別子を含み、ＰＤＮ識別子はＡＰＮネットワーク識別子とアクセスゲートウェイアドレスの少なくとも１つを含み、アクセスユーザ情報はＵＥのユーザ識別子を含み、アクセスネットワーク情報は移動パケットネットワーク識別子を含み、移動パケットネットワーク識別子はＵＥのホームエリアの移動パケットネットワーク識別子である。
【手続補正１０】
【補正対象書類名】明細書
【補正対象項目名】０１２８
【補正方法】変更
【補正の内容】
【０１２８】
最後に、上記の実施形態は、本発明の技術的解法を説明するためだけに提供されるものであって、本発明を制限するものではないことに留意されたい。本発明の範囲から逸脱することなく、当業者がさまざまな修正および変形を本発明に対して行えることは明らかである。以下の特許請求の範囲およびその等価物によって定義される保護範囲にある修正、変形は本発明に含まれることが意図されている。
【国際調査報告】
2011509610.tif 000012
2011509610.tif 000013
2011509610.tif 000014
2011509610.tif 000015